(57)【要約】【課題】接点を開閉する力を向上できる電磁リレーを提供する。【解決手段】アーマチュア２は、電磁石１の磁力に応じて駆動される。カード５は、アーマチュア２の駆動に応じて往復運動し、運動方向に直交する方向に延伸するアーム部５３を有する。２枚の板ばね７１１は、それぞれ、長さ方向がアーム部５３に直交する方向となるように並んで配置され、それぞれ、先端部に、幅方向の寸法が小さく、互いに近接するように形成され、アーム部に留まるフック部を有する。可動接点７５は、板ばね７１１に保持され、カード５の運動に応じて変位する。固定接点７６は、可動接点７５に対向するように配置される。【選択図】図１
2014229499.tif 000002
【特許請求の範囲】
【請求項１】
電磁石と、
前記電磁石の磁力に応じて駆動されるアーマチュアと、
前記アーマチュアの駆動に応じて往復運動し、運動方向に直交する方向に延伸するアーム部を有するカードと、
それぞれ、長さ方向が前記アーム部に直交する方向となるように並んで配置され、それぞれ、先端部に、幅方向の寸法が小さく、互いに近接するように形成され、前記アーム部に留まるフック部を有する２枚の板ばねと、
前記板ばねに保持され、前記カードの運動に応じて変位する可動接点と、
前記可動接点に対向するように配置された固定接点と
を備えることを特徴とする電磁リレー。
【請求項２】
前記アーム部の長さは、前記２枚の板ばねの幅の和よりも短いことを特徴とする請求項１に記載の電磁リレー。
【請求項３】
前記アーム部は、両端側において、前記カードに連結することを特徴とする請求項１に記載の電磁リレー。
【請求項４】
前記アーマチュアは、永久磁石を備え、ラッチング動作をすることを特徴とする請求項１〜３のいずれか１項に記載の電磁リレー。
【発明の詳細な説明】
【技術分野】
【０００１】
本発明は、板状のばねを有する電磁リレーに関する。
【背景技術】
【０００２】
電磁石の磁力に応じてアーマチュアが駆動することにより、可動接点が変位され、可動接点と固定接点とが開閉する電磁リレーが知られている。このような電磁リレーは、例えば、アーマチュアの回転運動を直線運動に変換するカードと、可動接点を保持し、カードにより変形される板ばねとを備える（特許文献１参照）。カードは、運動方向に直交する方向に延伸するアーム部を有し、アーム部は、板ばねの先端部を引くことにより、可動接点と固定接点との間を開く。板ばねは、長さ方向に沿う１本のスリットが形成されることにより、幅方向において２枚に分割される。分割された２枚の板ばねの先端部は、互いに離間し、それぞれ、カードのアーム部に留まるフック形状となっている。
【先行技術文献】
【特許文献】
【０００３】
【特許文献１】特開２０１３−３０３０９号公報
【発明の概要】
【発明が解決しようとする課題】
【０００４】
２枚の板ばねの先端部が互いに離間しているため、カードのアーム部は、２枚の板ばねの先端部の間の距離に応じた長さが必要となる。また、カードのアーム部が撓むことにより、板ばねを引き、接点を開く際の力が低減してしまう。
本発明は、上記問題点を鑑み、接点を開閉する際の力を向上できる電磁リレーを提供することを目的とする。
【課題を解決するための手段】
【０００５】
上記目的を達成するために、本発明の第１の態様は、電磁石と、前記電磁石の磁力に応じて駆動されるアーマチュアと、前記アーマチュアの駆動に応じて往復運動し、運動方向に直交する方向に延伸するアーム部を有するカードと、それぞれ、長さ方向が前記アーム部に直交する方向となるように並んで配置され、それぞれ、先端部に、幅方向の寸法が小さく、互いに近接するように形成され、前記アーム部に留まるフック部を有する２枚の板ばねと、前記板ばねに保持され、前記カードの運動に応じて変位する可動接点と、前記可動接点に対向するように配置された固定接点とを備える電磁リレーであることを要旨とする。
【０００６】
また、本発明の第１の態様に係る電磁リレーにおいて、前記アーム部の長さは、前記２枚の板ばねの幅の和よりも短くすることができる。
【０００７】
また、本発明の第１の態様に係る電磁リレーにおいて、前記アーム部は、両端側において、前記カードに連結することができる。
【０００８】
また、本発明の第１の態様に係る電磁リレーにおいて、前記アーマチュアは、永久磁石を備え、ラッチング動作をすることができる。
【発明の効果】
【０００９】
本発明によれば、接点を開閉する力を向上できる電磁リレーを提供することができる。
【図面の簡単な説明】
【００１０】
【図１】本発明の実施の形態に係る電磁リレーの基本的な構成を説明する斜視図である。
【図２】本発明の実施の形態に係る電磁リレーの基本的な構成を説明する平面図である。
【図３】本発明の実施の形態に係る電磁リレーが備えるカードを説明する斜視図である。
【図４】本発明の実施の形態に係る電磁リレーが備える板ばねを説明する斜視図である。
【図５】先端部が近接しない板ばねを説明する斜視図である。
【図６】長いアーム部を有するカードを説明する斜視図である。
【図７】本発明の他の実施の形態に係る電磁リレーが備えるカードを説明する斜視図である。
【図８】本発明の他の実施の形態に係る電磁リレーが備えるカードを説明する斜視図である。
【図９】本発明の他の実施の形態に係る電磁リレーが備えるカードを説明する斜視図である。
【発明を実施するための形態】
【００１１】
次に、図面を参照して、本発明の実施の形態を説明する。以下の図面の記載において、同一又は類似の部分には同一又は類似の符号を付し、重複する説明を省略する。また、以下に示す実施の形態は、本発明の技術的思想を具体化するための装置や方法を例示するものであって、本発明の技術的思想は、構成部品の形状、構造、配置等を下記のものに特定するものでない。本発明の技術的思想は、特許請求の範囲に記載された技術的範囲内において、種々の変更を加えることができる。
【００１２】
（電磁リレー）
本発明の実施の形態に係る電磁リレーは、図１に示すように、電磁石１と、電磁石１の磁力に応じて回転駆動されるアーマチュア２と、アーマチュア２の駆動に応じて変位する可動接点７５ａ，７５ｂと、固定接点７６ａ，７６ｂとを備える。電磁石１は、電磁石１、アーマチュア２等の、本発明の実施の形態に係る電磁リレーの構成部品を収容するハウジング３内に固定される。
【００１３】
電磁石１は、図示を省略したコイルと、磁性体からなり、コイルにより磁化される磁極片１１とを備える。磁極片１１は、概略としてＵ字型であり、両端部がそれぞれアーマチュア２の両端側に配置される。電磁石１のコイルは、ハウジング３からそれぞれ外部に延伸する３本のコイル端子１０を介して供給される電力に応じて、磁極片１１の端部を互いに異なる極性に励磁することが可能である。
【００１４】
本発明の実施の形態に係る電磁リレーは、いわゆる２巻線ラッチング型であり、接点状体を保持することができる。電磁石１のコイルはタップを有しており、コイルの両端とタップとにコイル端子１０が１つずつ電気的に接続されている。
【００１５】
アーマチュア２は、互いに極性が同じ方向になるように並列に配置された２個の永久磁石２１と、それぞれ磁性体からなる２本の接極子２２ａ，２２ｂと、永久磁石２１及び接極子２２ａ，２２ｂを一体に保持する保持体２３と、連結片２４とを備える。アーマチュア２は、概略として直方体状であり、中心部を通る回転軸について回転可能に、支持体４により支持される。
【００１６】
接極子２２ａ，２２ｂは、それぞれ、扁平な直方体形状であり、厚さ方向に対向する面の片面が、永久磁石２１の両極側にそれぞれ磁着されている。よって、接極子２２ａ，２２ｂは、互いに異なる極性に磁化されている。接極子２２ａ，２２ｂは、それぞれ、長さ方向（永久磁石２１の配列方向）に延伸し、長さ方向の両端側が永久磁石２１及び保持体２３よりも外側に突出する。磁極片１１の両端部は、それぞれ、両側に突出した接極子２２ａ，２２ｂの間隙に配置される。
【００１７】
保持体２３は、概略として直方体状であり、永久磁石２１及び接極子２２ａ，２２ｂに対して合成樹脂をインサート成形することにより形成される。保持体２３は、対向する２面のそれぞれ中心部を片面から他面に貫通する、断面が円形の軸受け部２０を有する。連結片２４は、Ｓ字型に屈曲された板状の部材であり、一端側が接極子２２ｂの一端側に連結され、他端側がアーマチュア２から離れるように配置される。
【００１８】
支持体４は、概略として矩形平板状であり、互いに対向する２辺側において、ハウジング３に固定される固定部４１と、固定部４１の中央部から垂直に延伸する円柱状の軸部４２とを有する。支持体４は、軸部４２がアーマチュア２の軸受け部２０に挿入されることにより、アーマチュア２を軸部４２の中心軸について回転可能に支持する。
【００１９】
図２に示すように、電磁石１がコイル端子１０を介してコイルに電力を供給されると、コイルの通電方向に応じて、磁極片１１の両端部が、それぞれ、接極子２２ａ，２２ｂのいずれかに吸引される。これにより、アーマチュア２は、電磁石１のコイルの通電方向に応じた方向に回転する。電磁石１のコイルにいったん通電されると、コイルに逆方向の電流が流れるまで、アーマチュア２は、永久磁石２１の磁力によって状態を維持し、ラッチング動作をする。
【００２０】
連結片２４の、接極子２２ｂに連結されない他端側は、直線方向に往復運動可能にハウジング３に配置されたカード５に保持される。カード５は、図３に示すように、概略として平板状であり、カード５の運動方向に対して平行に、ハウジング３に配置される。カード５は、カード５の運動方向に対して直交する板状の鍔部５１と、連結片２４の他端側が挿入される凹部５２と、カード５の運動方向に直交する方向に延伸する棒状のアーム部５３とを有する。
【００２１】
鍔部５１は、一次側であるコイル端子１０側に位置する連結片２４と、二次側である端子板８１，８２側に位置するカード保持ばね７４との間の沿面距離を長くすることができる。連結片２４とカード保持ばね７４との沿面距離は、鍔部５１の表面を沿う距離となる。鍔部５１は、その他、カード５の移動範囲を規定することができる。凹部５２及びアーム部５３は、鍔部５１を挟んで、それぞれ、カード５の運動方向における両端側に位置する。カード５は、アーマチュア２が回転駆動されることにより、連結片２４を介して、直線状に往復運動することができる。
【００２２】
アーム部５３は、可動接点７５ａ，７５ｂを保持する板ばね７１の先端部をアーム部５３に留め、板ばね７１を変形させることにより、可動接点７５ａ，７５ｂと固定接点７６ａ，７６ｂとの間を開く。アーム部５３は、一端側においてカード５に連結され、先端部が開放されている。
【００２３】
板ばね７１は、図４に示すように、１枚の帯状の金属板の長さ方向における一端から他端側の一部を残す領域まで、長さ方向に形成された１本のスリット７１０により、２枚の板ばね７１１ａ，７１１ｂに分割されている。板ばね７１１ａ，７１１ｂは、長さ方向がカード５のアーム部５３に対して直交する方向となるように、並んで配置される。
【００２４】
板ばね７１１ａ，７１１ｂは、それぞれ、可動接点７５ａ，７５ｂを保持する貫通孔７１２ａ，７１２ｂと、先端部に形成されたフック部７１３ａ，７１３ｂとを有する。フック部７１３ａ，７１３ｂは、それぞれ、幅方向の寸法が板ばね７１１ａ，７１１ｂの幅方向の寸法より小さく、互いに近接するように形成されている。フック部７１３ａ，７１３ｂは、アーム部５３の側面に対応して屈曲するように形成されることにより、アーム部５３に留まりやすい形状となっている。板ばね７１１ａ，７１１ｂは、根元側において、フック部７１３ａ，７１３ｂの屈曲方向に凸状に屈曲されている。
【００２５】
板ばね７１は、根元側に形成された貫通孔７１５ａ，７１５ｂにおいて、ハウジング３に固定される。板ばね７１の片面側には、補助ばね７２，７３、カード保持ばね７４が積層される。補助ばね７２，７３は、先端側においてフック部が形成されない他は、板ばね７１と同様の形状である。カード保持ばね７４は、先端側及び中間部においてフック部７１３ａ，７１３ｂと屈曲方向と反対方向に屈曲する屈曲部を有する他は、板ばね７１と同様の形状である。板ばね７１、補助ばね７２，７３によりカード保持ばね７４は、可動接点７５ａ，７５ｂを保持する接点保持体（７１〜７４）を構成する。
【００２６】
接点保持体（７１〜７４）の先端部は、板ばね７１のフック部７１３ａ，７１３ｂがアーム部５３に留まり、カード保持ばね７４の先端部がカード５の、アーム部５３に対向する領域に留まる。これにより、接点保持体（７１〜７４）は、接点保持体（７１〜７４）の弾性力により先端部がカード５に保持される。可動接点７５ａ，７５ｂは、カードの往復運動に応じて変位する。
【００２７】
接点保持体（７１〜７４）は、他端部において、電気的且つ機械的に端子板８１に接続される。よって、可動接点７５ａ，７５ｂは、接点保持体（７１〜７４）を介して、電気的且つ機械的に端子板８１に接続される。固定接点７６ａ，７６ｂは、可動接点７５ａ，７５ｂに対向するように、端子板８２に配置される。固定接点７６ａ，７６ｂは、電気的且つ機械的に端子板８２に接続される。すなわち、本発明の実施の形態に係る電磁リレーは、アーマチュア２の駆動に応じて、端子板８１，８２間が、電気的に開閉する。端子板８１，８２は、それぞれ、帯状の金属板からなり、ハウジング３の内部から外部に突出するように延伸する。
【００２８】
図２に示すように、アーマチュア２が可動範囲の限界まで回転し、可動接点７５ａ，７５ｂと固定接点７６ａ，７６ｂとの間が閉じた状態では、カード保持ばね７４の弾性変形により可動接点７５ａ，７５ｂと固定接点７６ａ，７６ｂとの間に接圧が発生する。この状態から、可動接点７５ａ，７５ｂと固定接点７６ａ，７６ｂとの間を開くには、電磁石１の極性を反転させ、アーム部５３によりフック部７１３ａ，７１３ｂを引き、板ばね７１１ａ、７１１ｂを変形させて、可動接点７５ａ，７５ｂを変位させればよい。
【００２９】
図５に示すように、２枚の板ばね７１１ａｐ、７１１ｂｐのフック部７１３ａｐ，７１３ｂｐが、それぞれ、幅方向の両側から幅方向の寸法を小さくするように形成される場合、フック部７１３ａｐ，７１３ｂｐの間の距離が大きくなる。このとき、図６に示すように、カード５ｐは、フック部７１３ａｐ，７１３ｂｐの間の距離に応じた長さのアーム部５３ｐが必要である。よって、アーム部５３ｐが撓み易く、板ばね７１１ａｐ、７１１ｂｐを引いて接点を開く際の力が低減してしまう。
【００３０】
本発明の実施の形態に係る電磁リレーによれば、２枚の板ばね７１１ａ，７１１ｂのフック部７１３ａ，７１３ｂが互いに近接しているので、アーム部５３の長さを短くすることができる。例えば、アーム部５３は、長さが、２枚の板ばね７１１ａ，７１１ｂの幅の和より短くなるように形成されてもよい。この為、本発明の実施の形態に係る電磁リレーによれば、フック部７１３ａ，７１３ｂを引く際のアーム部５３の撓みが低減され、接点を開閉する力を向上することができる。
【００３１】
（その他の実施の形態）
上記のように、本発明を実施の形態によって記載したが、この開示の一部をなす論述及び図面は本発明を限定するものであると理解すべきではない。この開示から当業者には様々な代替実施の形態、実施例及び運用技術が明らかとなろう。
【００３２】
例えば、既に述べた実施の形態の説明において、カード５として図３に示す例を説明したが、カード５は、他の様々な形状とすることができる。例えば、図７に示すように、カード５Ａは、カード５の凹部５２に対して反対側から延伸するスリット状の凹部５２Ａを有するようにしてもよい。また、図８に示すように、カード５Ｂは、両端側においてカード５Ｂに連結するアーム部５３Ｂを有するようにしてもよい。また、図９に示すように、カード５Ｃは、カード５の凹部５２に対して反対側から延伸するスリット状の凹部５２Ｃと、両端側においてカード５Ｃに連結するアーム部５３Ｃとを有するようにしてもよい。
【００３３】
この様に、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３４】
１  電磁石
２  アーマチュア
５，５Ａ，５Ｂ，５Ｃ  カード
２１  永久磁石
５３，５３Ｂ，５３Ｃ  アーム部
７５ａ，７５ｂ  可動接点
７６ａ，７６ｂ  固定接点
７１３ａ，７１３ｂ  フック部
【図１】
2014229499.tif 000003
【図２】
2014229499.tif 000004
【図３】
2014229499.tif 000005
【図４】
2014229499.tif 000006
【図５】
2014229499.tif 000007
【図６】
2014229499.tif 000008
【図７】
2014229499.tif 000009
【図８】
2014229499.tif 000010
【図９】
2014229499.tif 000011